(57)【要約】      （修正有）【課題】取り扱い時や保存時の安全性が高く、且つ低温射撃時の着火性に優れる発射装薬を提供する。【解決手段】焼尽容器１１内に、ニトロ可塑剤としてジエチレングリコールジナイトレートを含有するトリプルベース発射薬からなる主発射薬１２と共に、ニトロセルロースを含有する点火補助発射薬１３が収容されている。点火補助発射薬１３は、点火遅れ時間が主発射薬１２よりも短く、且つガス発生速度が主発射薬１２よりも遅い。点火補助発射薬１３は、主発射薬１２よりもニトロセルロースの相対割合が高く、主発射薬１２よりもウェブサイズが大きい。主発射薬１２及び点火補助発射薬１３の質量総和１００質量％に対して、点火補助発射薬１３は５〜２５質量％が好ましい。【選択図】図１
2014228167.tif 000002
【特許請求の範囲】
【請求項１】
焼尽容器内に、ニトロ可塑剤としてジエチレングリコールジナイトレートを含有するトリプルベース発射薬からなる主発射薬が収容された発射装薬であって、
前記焼尽容器内には、ニトロセルロースを含有する点火補助発射薬が、前記主発射薬と共に収容されており、
前記点火補助発射薬は、点火遅れ時間が前記主発射薬よりも短く、且つガス発生速度が前記主発射薬よりも遅いことを特徴とする、発射装薬。
【請求項２】
前記点火補助発射薬は、前記主発射薬よりもニトロセルロースの相対割合が高い組成となっている、請求項１に記載の発射装薬。
【請求項３】
前記点火補助発射薬は、シングルベース発射薬またはダブルベース発射薬である、請求項１または請求項２に記載の発射装薬。
【請求項４】
前記点火補助発射薬は、前記主発射薬よりもウェブサイズが大きい、請求項１ないし請求項３のいずれかに記載の発射装薬。
【請求項５】
前記主発射薬及び前記点火補助発射薬の質量総和１００質量％に対して、前記点火補助発射薬が５〜２５質量％である、請求項１ないし請求項４のいずれかに記載の発射装薬。
【請求項６】
前記焼尽容器は、径方向中央部に軸方向の貫通孔を有し、該焼尽容器の内周面には点火薬が配されており、
前記点火補助発射薬は、少なくとも前記焼尽容器内の最内周縁部に配されている、請求項１ないし請求項５のいずれかに記載の発射装薬。
【発明の詳細な説明】
【技術分野】
【０００１】
本発明は、りゅう弾砲等の火砲用弾薬に使用される、焼尽容器内にトリプルベース発射薬が収容された発射装薬に関する。
【背景技術】
【０００２】
一般的に、りゅう弾砲等の火砲用弾薬では、発射薬を燃焼させた燃焼ガス圧によって弾丸（飛翔体）を飛翔させる。このような弾丸としては、内部に発射薬が充填された薬莢に固定された固定型弾丸と、内部に発射薬が収容された発射装薬を弾丸とは別体として用いる分離装填型弾丸とに分けられる。発射装薬は、燃焼により焼失する焼尽容器、燃焼ガスを発生させる発射薬、及び発射薬を点火するための点火薬等によって構成される。分離装填型弾丸の場合、発射装薬は、所望する弾丸の射距離に応じて複数個が並べて配され、各発射装薬は、りゅう弾砲の中心軸に配置されている撃発火管等の点火具によって点火される。そのため、点火具から発生する火炎を、連結された全ての発射装薬の点火薬へ円滑に伝播させるために、発射装薬の径方向中央部には軸方向の貫通孔を有し、当該貫通孔内周面に点火薬が配置されている。なお、各発射装薬は、一般的に互いに軸方向へ連結可能なようにモジュール型となっている。
【０００３】
ところで、上記発射装薬内に収容される発射薬には、従来からトリプルベース発射薬が使用されることが多い。トリプルベース発射薬は、火薬力を増大しながらも、燃焼温度を抑えて砲身のエロージョン（焼食）を低減し、且つ砲口炎の減少などを目的として開発されたものである。当該トリプルベース発射薬は、ニトロセルロース、ニトロ可塑剤、ニトログアニジンを主成分とし、その他必要に応じて安定剤、消炎剤、光沢剤等の添加物を含有する場合もある。
【０００４】
また、ニトロ可塑剤としては、一般的に起爆性の高いニトログリセリンが用いられる。例えば特許文献１でも、発射装薬の発射薬として、ニトロ可塑剤としてニトログリセリンを含むトリプルベース発射薬を主発射薬として使用している。そのうえで特許文献１では、当該主発射薬とともに、主発射薬よりもガス発生速度の速い初速安定化用発射薬を焼尽容器内に収容している。これにより、弾丸射撃の際の初速が安定すると共に、砲身内における負圧差などの異常圧力を抑制することができるとされている。
【０００５】
一方、非特許文献１には、トリプルベース発射薬のニトロ可塑剤として、ジエチレングリコールジナイトレートも使用できることが記載されている。
【先行技術文献】
【特許文献】
【０００６】
【特許文献１】特開２０１２−２１６８５号公報
【非特許文献】
【０００７】
【非特許文献１】弾道学研学会編集、「火器弾薬技術ハンドブック（改訂版）」、財団法人防衛技術協会発行、2005年2月2日、P351-352
【発明の概要】
【発明が解決しようとする課題】
【０００８】
特許文献１の発射装薬は、主発射薬よりもガス発生速度の速い初速安定化用発射薬を焼尽容器内に収容することで、停弾の防止や弾丸の初速安定化を図るものではあるが、ニトロ可塑剤として起爆性の高いニトログリセリンを使用しているため、取り扱い時や保存時の安全性に課題を有する。
【０００９】
一方、非特許文献１に記載されているような、ニトロ可塑剤としてジエチレングリコールジナイトレートを使用したトリプルベース発射薬であれば、取り扱い時や保存時の安全性は高い。しかし、ジエチレングリコールジナイトレートは低温になるほど着火能力が低下する傾向を有する。そのため、ジエチレングリコールジナイトレートを含有するトリプルベース発射薬を使用した場合は、低温射撃時において発射薬全体の着火性が悪く、且つ点火遅れ時間も長くなるという課題を有する。
【００１０】
そこで、本発明者らは、安全性の高いジエチレングリコールジナイトレートを使用したトリプルベース発射薬を用いた場合でも、低温射撃時の着火性を向上できないか鋭意検討を行った結果、主発射薬よりも点火遅れ時間が短く、且つガス発生速度が主発射薬よりも遅い点火補助発射薬を併用することで上記課題を解決することができることを知見し、本発明を完成するに至った。
【００１１】
すなわち、本発明の目的は、取り扱い時や保存時の安全性が高く、且つ低温射撃時の着火性にも優れる発射装薬を提供することにある。
【課題を解決するための手段】
【００１２】
そのための手段として、本発明は、焼尽容器内に、ニトロ可塑剤としてジエチレングリコールジナイトレートを含有するトリプルベース発射薬からなる主発射薬が収容された発射装薬であって、前記焼尽容器内には、ニトロセルロースを含有する点火補助発射薬が、前記主発射薬と共に収容されている。そのうえで、当該点火補助発射薬は、点火遅れ時間が前記主発射薬よりも短く、且つガス発生速度が前記主発射薬よりも遅いことを特徴とする。なお、「点火遅れ時間」、「ガス発生速度」は、主発射薬及び点火補助発射薬を一定の燃焼容積を有する密閉ボンブ試験装置内に装填比重０.１ｇ／ｃｃとなるように装填した際の、燃焼試験における点火遅れ時間及びガス発生速度を意味している。（密閉ボンブ試験装置及び試験方法の詳細については後述する。）
【００１３】
このように、主発射薬としてトリプルベース発射薬を使用していることで、その他の火薬を使用した場合よりも燃焼温度を抑えて砲身のエロージョン（焼食）を根本的に低減することができる。また、火薬力の増大や砲口炎の減少を図ることもできる。そのうえで、当該主発射薬にはニトロ可塑剤としてジエチレングリコールジナイトレートを使用しているので、取り扱い時や保存時における誤爆を避けることができ安全性も高くなっている。しかし、ジエチレングリコールジナイトレートは、ニトログリセリンに比して低温時の着火能力が低い。そこで、点火遅れ時間が主発射薬よりも短い、すなわち火炎の伝播速度が主発射薬よりも速く、且つガス発生速度が主発射薬よりも遅い、すなわち単位時間当たりの燃焼ガス発生量が主発射薬よりも少ない点火補助発射薬を、主発射薬と共に併用することで、例え氷点下のような低温射撃時においても、良好な着火性を確保することができる。
【００１４】
点火補助発射薬の点火遅れ時間を主発射薬よりも短くするには、点火補助発射薬におけるニトロセルロースの相対割合を、主発射薬よりも高くすればよい。ニトロセルロースの相対割合を主発射薬よりも高くしてあれば、点火補助発射薬としてトリプルベース発射薬やマルチベース発射薬を使用することもできる。または、点火補助発射薬として、シングルベース発射薬またはダブルベース発射薬を使用することもできる。シングルベース発射薬やダブルベース発射薬であれば、トリプルベース発射薬と比べて本来的にニトロセルロースの相対割合が高い。
【００１５】
一方、点火補助発射薬のガス発生速度を主発射薬よりも遅くするには、点火補助発射薬のウェブサイズを主発射薬よりも大きくすればよい。なお、ウェブサイズとは、各発射薬粒における、隣接する孔同士の距離や孔から外周面への距離であって（防衛省規格  弾薬用語  ＮＤＳＹ ０００１Ｄ）、火炎が接触する対向面同士の距離をいう（図４参照）。
【００１６】
なお、前記主発射薬及び前記点火補助発射薬の質量総和１００質量％に対して、前記点火補助発射薬の使用量（収容量）は、５〜２５質量％とすることが好ましい。点火補助発射薬の使用量が少なすぎると、低温射撃時の着火性を効果的に向上できず、逆に点火補助発射薬の使用量が多すぎると、砲身のエロージョンが発生し易い傾向にあるからである。
【００１７】
前記焼尽容器は、径方向中央部に軸方向の貫通孔を有し、該焼尽容器の内周面には点火薬が配されている。そのため、前記点火補助発射薬は、少なくとも前記焼尽容器内の最内周縁部に配すことが好ましい。点火補助発射薬は、主発射薬の着火性を補うものなので、点火補助発射薬が点火薬から離れた部位に配されていると、これによる効果を最大限利用することができなくなる。
【発明の効果】
【００１８】
本発明の発射装薬によれば、取り扱い時や保存時の安全性が高く、且つ低温射撃時の着火性にも優れる。
【図面の簡単な説明】
【００１９】
【図１】実施形態１の断面図である。
【図２】実施形態２の断面図である。
【図３】燃焼測定試験で使用する密閉ボンブ試験装置の断面図である。
【図４】ウェブサイズを説明する発射薬粒の平面図である。
【発明を実施するための形態】
【００２０】
以下に、本発明の代表的な実施態様について説明する。本発明の発射装薬１０は、図１，２に示すように、焼尽容器１１内に、主発射薬１２及び点火補助発射薬１３が収容されており、径方向中央の貫通孔１４内に点火薬１５が配されている。
【００２１】
焼尽容器１１は、燃焼によって焼失するものであって、径方向中央部に軸方向の貫通孔１４を有する肉厚な（内部空間の幅が大きな）円筒形の容器である。当該焼尽容器１１は、主発射薬１２や点火補助発射薬１３を収容する有底円筒形の収容ケース１１ａと、該収容ケース１１ａの開口を閉塞する蓋体１１ｂと、点火薬１５を保持する点火薬筒１１ｃとからなる。焼尽容器１１（収容ケース１１ａ）の先端部１１ｄは、他の部位に比して僅かに縮径しており、当該縮径部１１ｄが、他の発射装薬１０の基端部（蓋体１１ｂ）の内側に嵌合することで、複数の発射装薬１０を軸方向に連結することができるモジュール型となっている。
【００２２】
点火薬筒１１ｃは円筒状の部材であって、収容ケース１１ａの径方向中央部へ軸方向に配されることで、貫通孔１４の内周壁の一部を画成している。そのうえで、点火薬筒１１ｃの内周面には、図外の点火装置によって点火される点火薬１５が、薬嚢に袋詰めされた状態で固定されている。
【００２３】
焼尽容器１１（収容ケース１１ａ、蓋体１１ｂ、点火薬筒１１ｃ）は、ニトロセルロースやクラフトパルプを主体成分とし、これらがバインダー樹脂によって容器形状に成形されている。バインダー樹脂としては、スチレンブタジエンラテックス、アクリル樹脂、ポリエチレン、ポリスチレン、ポリアミド、ポリブタジエン、ポリウレタンなどを使用できる。また、焼尽容器１１には、ニトロセルロースの自然分解を抑制するための安定剤を添加しておくことも好ましい。安定剤としては、エチルセントラリット、ジフェニルアミン、メチルジフェニルウレアなどが挙げられる。
【００２４】
主発射薬１２は、ニトロセルロース（ＮＣ）、ニトロ可塑剤、ニトログアニジン（ＮＱ）を主成分とするトリプルベース発射薬からなり、本発明では、ニトロ可塑剤としてジエチレングリコールジナイトレート（ＤＥＧＮ）が使用されている。また、必要に応じて安定剤、消炎剤、光沢剤等の添加物を添加することもできる。安定剤としてはエチルセントラリットが、消炎剤としては硫酸カリウムや氷晶石が、光沢剤としてはグラファイトが、それぞれ挙げられる。
【００２５】
主発射薬１２は、燃焼した際に発生する燃焼ガスにより図外の弾丸（飛翔体）を射出するためのものであり、発射装薬１０内に多量に収容される。そのため、燃焼温度が高いと砲身のエロージョンが激しくなり砲身命数が短くなるため、燃焼温度が高くならない組成比率にしなければならない。そこで、トリプルベース発射薬からなる主発射薬１２を使用することで、火薬力を増大しながらも、燃焼温度を抑えて砲身のエロージョン（焼食）を低減し、且つ砲口炎の減少などを図ることができる。そのうえで、ニトロ可塑剤としてＤＥＧＮを使用することで、取り扱い時や保存時などの安全性も高くなる。しかし、ＤＥＧＮを使用すると、低温になるほど射撃時の着火性が劣る傾向がある。なお、極少量であれば、ニトロ可塑剤としてニトログリセリン（ＮＧ）も混用することは否定しないが、ＮＧは含有しないことが好ましい。
【００２６】
主発射薬１２は所定形状の粒状に形成されており、当該粒状の主発射薬１２が焼尽容器１１内に多数個収容されている。主発射薬１２の形状は、従来からこの種の発射装薬において使用されている形状であれば特に制限はなく、例えば球状、円柱無孔、円柱単孔、円柱７孔、円柱１９孔、六角１９孔などとすることができる。迅速に多量の燃焼ガスを発生させるためには、円柱単孔、円柱７孔、円柱１９孔、六角１９孔などの有孔形状が好ましく、中でも、円柱１９孔、六角１９孔が特に好ましい。
【００２７】
点火補助発射薬１３は、主発射薬１２の低温着火性を補うために併用されるものである。そのため、点火補助発射薬１３は、点火遅れ時間が少なくとも主発射薬１２よりも短いものを使用する。好ましくは、主発射薬１２の点火遅れ時間に対して５〜６０％程度のものを使用する。点火遅れ時間が主発射薬１２よりも長いと、主発射薬１２の着火性を向上させる効果はなく、点火遅れ時間の改善を図ることはできないからである。
【００２８】
このような点火補助発射薬１３としては、主発射薬１２よりもニトロセルロース（ＮＣ）の相対割合が高い組成となっているものであればよい。ＮＣは点火遅れ時間が他の火薬成分に比して速く、点火補助発射薬１３全体に対する影響も大きいからである。主発射薬１２よりもニトロセルロースの相対割合が高い組成となっている限り、主発射薬１２と同様のトリプルベース発射薬や、ＲＤＸなどの爆薬成分や高エネルギー物質を含有する公知のマルチベース発射薬を使用することもできる。また、シングルベース発射薬やダブルベース発射薬も好適に使用できる。一般的に、シングルベース発射薬はニトロセルロースを主成分とし、ダブルベース発射薬はニトロセルロースとニトログリセリンを主成分としており、本来的にトリプルベース発射薬よりもＮＣの相対割合が高いからである。なお、点火補助発射薬１３は、主発射薬１２の補助薬として少量併用されるものであるため、燃焼温度に関しての制限についてはあまり考慮する必要はない。
【００２９】
また、点火補助発射薬１３のガス発生速度は、主発射薬１２よりも遅い必要がある。点火補助発射薬１３のガス発生速度が主発射薬１２よりも速いと、主発射薬１２へ点火が確実に行われる前に点火補助発射薬１３が燃え尽きて、主発射薬１２の着火性を向上させることが困難となる。しかし、一方で、点火補助発射薬１３のガス発生速度が主発射薬１２よりもあまりに遅いと、弾丸が砲口から射出するまでに点火補助発射薬１３が燃え尽きず、燃焼残渣が発生する可能性がある。そのため、黒色火薬はガス発生速度が極端に遅いので、点火補助発射薬１３としては使用できない。ニトロセルロースを含有する点火補助発射薬１３であれば、適度なガス発生速度を確保できる。上記傾向を鑑みると、点火補助発射薬１３のガス発生速度は、具体的には主発射薬１２のガス発生速度に対して３０〜９９％が好ましく、５０〜９０％がより好ましい。
【００３０】
当該ガス発生速度は、点火補助発射薬１３の形状（正確にはウェブサイズＷ）によって調整することができる。すなわち、点火補助発射薬１３も、主発射薬１２と同様に所定形状の粒状に形成されて、当該粒状の点火補助発射薬１３が焼尽容器１１内に多数個収容される。そのうえで、点火補助発射薬１３は、そのウェブサイズＷを主発射薬１２よりも大きくする。なお、ウェブサイズＷの定義は図４に示している。具体的には、図４（ａ）には円柱無孔のウェブサイズＷを、図４（ｂ）には円柱単孔のウェブサイズＷを、図４（ｃ）には六角１９孔のウェブサイズＷを、それぞれ例示している。点火補助発射薬１３の形状は、ウェブサイズＷが主発射薬１２よりも大きい限り、主発射薬１２と同様に円柱単孔、円柱７孔、円柱１９孔、六角１９孔などとすることができる。
【００３１】
このような点火補助発射薬１３を主発射薬１２と共に焼尽容器１１内へ収容することで、図外の火管により着火された点火薬１５の火炎が、点火補助発射薬１３を介して主発射薬１２へ円滑に伝播され、主発射薬１２の低温着火性が向上される。このとき、点火補助発射薬１３は、図１に示す実施形態１のように、薬嚢へ袋詰めした分離状態で収容することもできるし、図２に示す実施形態２のように、主発射薬１２と混合分散状態で焼尽容器１１内へ収容することもできる。但し、いずれの実施形態でも、少なくとも焼尽容器１１内の最内周縁部（点火薬筒１１ｃに接する部位）に配すことが好ましい。点火補助発射薬１３が点火薬１５から離れた部位に配されていると、主発射薬１２の低温着火性向上効果が低減するからである。
【００３２】
点火補助発射薬１３は、主発射薬１２と点火補助発射薬１３との質量総和１００質量％に対して、３〜３０質量％であれば使用可能であるが、５〜２５質量％とすることが好ましく、５〜２０質量％がより好ましい。点火補助発射薬１３の配合比率が３重量％未満では、点火補助発射薬１３としての効果を十分に発揮させることができず、主発射薬１２の着火性を向上させることが困難となる。一方、点火補助発射薬１３の配合比率が３０重量％を越えると、燃焼温度が高くなり過ぎて砲身のエロージョンが大きくなる傾向にある。
【実施例】
【００３３】
以下に、本発明の具体的な実施例等について説明するが、本発明はこれらに限られるものではない。先ず、以下の試験において燃焼特性を測定するために使用した密閉ボンブ燃焼試験について説明する。
【００３４】
＜密閉ボンブ燃焼試験＞
図３に示すように、ボンブ本体５０内に容積が１５０ｍｌの円柱状をなす燃焼空間５１が設けられており、その燃焼空間５１内に、燃焼特性の測定対象（主発射薬１２や点火補助発射薬１３）が装填される。ボンブ本体５０の一端側には、燃焼空間５１内を密閉する栓体５２が装着され、ボルト５３により着脱可能になっている。なお、燃焼空間５１の容積は、直径３５ｍｍ、深さ１６５ｍｍの円柱体の容積から栓体５２の一部等の容積を差し引いて算出されたものである。また、ボンブ本体５０の一端側には接続配線５４を介して点火装置５６が接続されると共に、接続配線５５はボンブ本体５０に接続されている。
【００３５】
燃焼空間５１内における栓体５２の内端面には一対の電極５７、５８が取り付けられており、一方の電極５７には接続配線５４が接続され、他方の電極５８はボンブ本体５０に接続されている。両電極５７，５８には接続線を介して点火玉（黒色火薬０.５ｇ付き）５９が取り付けられている。そして、点火装置５６を作動させることにより、接続配線５４，５５、電極５７，５８などを経て点火玉５９が点火し、燃焼空間５１の主発射薬１２や点火補助発射薬１３を着火させて燃焼させるようになっている。
【００３６】
ボンブ本体５０の側面には、ガス抜き用バルブ６０が取り付けられており、サンプリング管６１を介して燃焼空間５１と連通されている。このガス抜き用バルブ６０から燃焼空間５１内のガスをサンプリングし、その燃焼特性を評価できるようになっている。なお、ボンブ本体５０の他端面には圧力変換器６２が取り付けられ、連通管６３を介して燃焼空間５１と連通されている。この圧力変換器６２により着火遅れ時間やガス発生速度を求めることができるようになっている。
【００３７】
そして、栓体５２を抜いた状態で燃焼空間５１内に主発射薬１２や点火補助発射薬１３を装填する。その際に装填する薬量は、装填比重０.１ｇ／ｍｌとした。次いで、栓体５２を閉め、点火装置５６にて燃焼空間５１の発射薬１２や点火補助発射薬１３を着火する。そして、燃焼した際の燃焼時間と燃焼圧力との関係を圧力変換器６２を介してオシロスコ−プ（図示せず）にて計測し、点火遅れ時間及びガス発生速度を求めることができる。なお、点火玉への通電開始から最大圧力の１０％の圧力となるまでの時間を点火遅れ時間とした。また、燃焼割合が０．２から０．８におけるΔＰ／Δｔをガス発生速度とした。
【００３８】
＜射撃試験＞
次に、射撃試験方法について説明する。射撃試験装置としては、１５５ｍｍりゅう弾砲と同等の薬室及び砲身（砲身長約４ｍ）を有する射撃試験装置を使用し、質量４４ｋｇの弾丸を薬室前方に装填した後、１個の発射装薬を薬室に装填し、薬室を閉鎖装置で閉鎖した後、火管の作動によって発射装薬を点火し弾丸を飛翔させる。その際の薬室内の圧力を計測し、圧力−時間曲線を求めるものである。
【００３９】
使用する発射装薬は、外径Ｄ１＝１５５ｍｍ、長さＬ１＝１５０ｍｍ、空洞部の直径Ｄ２＝３５ｍｍに設定し、焼尽容器の組成はニトロセルロース５７質量％、クラフトパルプ２８質量％、バインダー樹脂１４質量％、安定剤１質量％とした。また、点火薬は、従来からこの種の発射装薬に使用されている黒色火薬５ｇと多孔質のシングルベース発射薬（ＣＢＩ）５ｇを使用し、それらを布製の袋に入れて点火薬筒の内側に設けるものとした。
【００４０】
（主発射薬の製造例１−１）
ジエチレングリコールジナイトレート（ＤＥＧＮ）２７.０質量％、ニトロセルロース（ＮＣ）３３.０質量％、ニトログアニジン（ＮＱ）３９.０質量％、安定剤１.０質量％とし、ウェブサイズ１．４ｍｍの六角１９孔に成形した。製造方法は、捏和、圧伸、裁断、乾燥の工程からなる公知の溶剤圧伸法を用いた。
【００４１】
（主発射薬の製造例１−２）
ジエチレングリコールジナイトレート（ＤＥＧＮ）４０.０質量％、ニトロセルロース（ＮＣ）１２.０質量％、ニトログアニジン（ＮＱ）４７.０質量％、安定剤１.０質量％とし、製造例１−１と同様の方法によりウェブサイズ１．６ｍｍの六角１９孔に成形した。
【００４２】
得られた主発射薬１−１・１−２の低温時における点火遅れ時間及びガス発生速度を、上述した密閉ボンブ燃焼試験により測定した。具体的には、−４０℃に調温した主発射薬１−１・１−２を用いて、点火遅れ時間及びガス発生速度を測定した。その結果を表１に示す。
【表１】
2014228167.tif 000003
【００４３】
（点火補助発射薬製造例２−１）
ジエチレングリコールジナイトレート（ＤＥＧＮ）３５.０質量％、ニトロセルロース（ＮＣ）６４.０質量％、安定剤１.０質量％のダブルベース発射薬とし、製造例１−１と同様の方法によりウェブサイズ２．０ｍｍの単孔管状に成形した。
【００４４】
（点火補助発射薬製造例２−２）
ニトロセルロース（ＮＣ）９１．０質量％、安定剤３．５質量％、可塑剤５．５質量％のシングルベース発射薬とし、製造例１−１と同様の方法によりウェブサイズ１．５ｍｍの単孔管状に成形した。
【００４５】
（点火補助発射薬製造例２−３）
従来からこの種の発射装薬において一般的に使用されている多孔質のシングルベース発射薬（ＣＢＩ）により、製造例１−１と同様の方法によりウェブサイズ０．６ｍｍの単孔管状に形成した。
【００４６】
（点火補助発射薬製造例２−４）
従来からこの種の発射装薬において一般的に使用されている、粉状（平均粒子径０．８ｍｍ）の黒色火薬を用いた。当該製造例２−４においては、各黒色火薬の粒径にバラツキがあるため、ウェブサイズは一義的に定まらない。
【００４７】
得られた各点火補助発射薬についても、−４０℃に調温したうえで、主発射薬１−１・１−２と同様に低温時における点火遅れ時間及びガス発生速度を測定した。その結果を表２に示す。
【表２】
2014228167.tif 000004
【００４８】
（実施例１）
主発射薬製造例１−１の主発射薬が９０質量％、点火補助発射薬製造例２−１の点火補助発射薬が１０質量％の割合になるように秤量し、焼尽容器内に主発射薬及び布製の袋に入れた点火補助発射薬を収納して、発射装薬を製造した。なお、布製の袋に入れた点火補助発射薬は、焼尽容器の最内周縁部に設置した。
【００４９】
（実施例２〜９）
表３に示す発射薬を、表３に示す質量比となるように秤量して、実施例１と同様に発射装薬を製造した。なお、表３に示す点火補助発射薬の配合比率は、主発射薬及び点火補助発射薬の質量総和１００質量％に対する点火補助発射薬の質量比で表している。
【００５０】
（実施例１０〜１１）
主発射薬製造例１−１及び点火補助発射薬製造例２−１を、点火補助発射薬が表３に示す割合で混合分散して焼尽容器内へ収納し、発射装薬を製造した。
【００５１】
（比較例１〜４）
表３に示す構成となるように組成物を秤量し、実施例１と同様に発射装薬を製造した。
【００５２】
得られた各発射装薬を−４０℃に調温したうえで、上記射撃試験装置を用いて射撃試験を行った。これにより得られた低温での点火遅れ時間と焼食性の評価結果も表３に示す。なお、焼食性の評価は、次のようにして行った。
【００５３】
＜焼食性＞
焼食性は、焼食性の指標となる燃焼温度により評価を行った。砲身内面に生じる焼食（エロージョン）を低減させるためにはできるだけ燃焼温度を低くすることが好ましい。燃焼温度は、当該分野で公知の熱平衡計算にて算出し、下記の評価基準にて評価を行った。
◎：熱平衡計算にて算出した燃焼温度が２８００Ｋ未満
○：熱平衡計算にて算出した燃焼温度が２８００Ｋ以上２８５０Ｋ未満
△：熱平衡計算にて算出した燃焼温度が２８５０Ｋ以上２９００Ｋ未満
【００５４】
【表３】
2014228167.tif 000005
【００５５】
表３の結果より、点火遅れ時間が主発射薬よりも短く、且つガス発生速度が主発射薬よりも適度に遅い（単位時間当たりのガス発生量が少ない）点火補助発射薬を併用して射撃試験を行った実施例１〜１１では、主発射薬の低温着火性が向上したため、いずれも点火遅れ時間は１.７秒以内であり、ニトロ可塑剤としてニトログリセリンを用いた従来の発射装薬（点火遅れ時間は遅くても２秒以内）と同等以下の点火遅れ時間となっていた。
【００５６】
特に、実施例１〜５は点火遅れ時間が１．２秒以内で着火性に優れており、且つエロージョンも確実に抑制されていることが確認された。一方、点火補助発射薬の質量比が３０％と比較的多い実施例８については、発射装薬として使用可能ではあるが、燃焼温度が高くなり砲身のエロージョンが大きくなる傾向にあることが明らかとなった。また、点火補助発射薬の質量比が３％と比較的少ない実施例９については、点火遅れ時間が１.５秒であり、実施例１〜８と比べて点火遅れ時間が若干劣っていた。さらに、点火補助発射薬の配置方法を混合分散とした実施例１０及び１１については、分離収容した実施例１〜８と比べて全体的に点火遅れ時間が遅くなっていた。これにより、混合分散収容よりも、分離収容の方が好ましいことが確認された。
【００５７】
一方、比較例１では、点火補助発射薬のガス発生速度が主発射薬よりも速いため、射撃試験における低温での点火遅れ時間が２.５秒となり、発射装薬として使用することは困難であることが明らかとなった。また、比較例２の結果から、黒色火薬を併用しても主発射薬の低温着火性を改善できないことが判明した。点火補助発射薬を配合しない比較例３〜４の主発射薬では、いずれも点火遅れ時間が３秒以上となり、発射装薬として使用することは困難であることが明らかとなった。
【符号の説明】
【００５８】
１０  発射装薬
１１  焼尽容器
１２  主発射薬
１３  点火補助発射薬
１５  点火薬
Ｗ  ウェブサイズ
【図１】
2014228167.tif 000006
【図２】
2014228167.tif 000007
【図３】
2014228167.tif 000008
【図４】
2014228167.tif 000009